(57)【要約】【課題】電源の無駄な消耗を防ぎ、撮影枚数を増加させたバッテリホルダを提供する。【解決手段】逆流防止用のダイオード８３、８４をバイパスするためのスイッチ８７、８８を設け、このスイッチ８７、８８は、電池室１１０ａ、１１０ｂに電池が装填された否かに応じてスイッチ状態が変わる。電池が２個装填された場合には、スイッチ８７、８８はオフし、ダイオード８３、８４がダイオードとして動作し、逆流防止する。また、電池が１個しか装填されない場合には、スイッチ８７、８８のいずれかがオンとなり、逆流防止用のダイオード８３、８４をバイパスし、スイッチ８７、８８を通じて電源供給され、ダイオード８３，８４で電圧降下が生じない。  【選択図】  図６
2009042614.tif 000002
【特許請求の範囲】
【請求項１】
複数の電池を装填でき、カメラ本体の電池室に接続して上記電池から電源供給を行う取り外し可能なバッテリホルダにおいて、
第１の電池室に電池が装填されたらオフになり、電池が入っていない場合にはオンである第１のスイッチと、
第２の電池室に電池が装填されたオフになり、電池が入っていない場合にはオンである第２のスイッチと、
上記第１の電池室に装填された電池に逆電流が流れないように整流する第１の整流素子と、
上記第２の電池室に装填された電池に逆電流が流れないように整流する第２の整流素子と、
を備え、
上記第１のスイッチのオンで第２の整流素子をバイパスし、一方、上記第２のスイッチのオンで上記第１の整流素子をバイパスすることを特徴とするバッテリホルダ。
【請求項２】
上記第１及び第２の整流素子は、ダイオードであることを特徴とする請求項１に記載のバッテリホルダ。
【請求項３】
複数の電池を装填でき、カメラ本体の電池室に接続して上記電池から電源供給を行う取り外し可能なバッテリホルダにおいて、
第１の電池室における電池の装填状態に応じて変化する第１のスイッチと、
第２の電池室における電池の装填状態に応じて変化する第２のスイッチと、
上記第１の電池室に装填された電池に接続され逆電流防止用の第１の整流素子と、
上記第２の電池室に装填された電池に接続され逆電流防止用の第２の整流素子と、
を備え、
上記第１の電池室に上記電池が装填されていない場合に上記第１のスイッチにより上記第２の整流素子をバイパスし、一方、上記第２の電池室の上記電池が装填されていない場合に上記第２のスイッチにより上記第１の整流素子をバイパスすることを特徴とするバッテリホルダ。
【請求項４】
上記第１のスイッチおよび上記第２のスイッチは、ノーマリオンタイプのスイッチであり、上記第１の電池室に装填された電池または上記第２の電池室に装填された電池によって、上記第１のスイッチおよび上記第２のスイッチはオフされることを特徴とするバッテリホルダ。
【請求項５】
上記第１および第２の整流素子はダイオードで構成されていることを特徴とするバッテリホルダ。
【請求項６】
第１及び第２の電池を並列接続で装填でき、カメラ本体の電池室に逆流防止用のダイオードを介して接続し、上記電池から電源供給を行う取り外し可能なバッテリホルダにおける電源供給方法であって、
上記第１および第２の電池のうち一方が装填されたことを検出した場合には、少なくとも装填された電池に接続された上記逆流防止用のダイオードをバイパスさせ、
上記第１及び第２の電池の両方が装填されたことを検出した場合には、上記逆流防止用のダイオードを動作させる、
ことを特徴とするバッテリホルダにおける電源供給方法。
【発明の詳細な説明】
【技術分野】
【０００１】
本発明は、カメラのバッテリホルダに関し、詳しくは、複数の電池を装填でき、カメラ本体に接続して電源供給を行う取り外し可能なカメラのバッテリホルダに関する。
【背景技術】
【０００２】
カメラ本体の電源供給のために電源電池はカメラ本体に内蔵されているが、それ以外にも、取り外し可能なバッテリホルダが従来から使用されている。そして、バッテリホルダとしては、電池を２個並列に接続するタイプも知られている（例えば、特許文献１）。このような電池並列タイプのバッテリホルダにおいては、複数の電池の間で、逆流電流が流れるのを防止するために逆流防止用のダイオードが接続されている。
【特許文献１】特開２００７−８０６１７号公報
【０００３】
この特許文献１に開示されているバッテリホルダにおいては、２個の電池が並列に接続され、２つの電池の両プラス電極の間には２つの逆流防止用のダイオードＤ１、Ｄ２が接続され、この各ダイオードのアノードが互いに接続されている。このアノードの接続点は、カメラ本体内の電源回路に接続されている。
【発明の開示】
【発明が解決しようとする課題】
【０００４】
このように、特許文献１に開示されているバッテリホルダにおいて、２つのダイオードＤ１、Ｄ２の働きにより電池の電流が逆流し、電源浪費を防止することができる。しかしながら、バッテリホルダに電池が１個だけ装填されている場合には、逆流防止用ダイオードＤ１またはＤ２が不要であるにも係わらず、この逆流防止用ダイオードＤ１またはＤ２における電圧降下のために撮影枚数が低下してしまう。
【０００５】
この電圧降下による撮影枚数の低下について、図８を用いて説明する。図８は使用環境の温度ごとに放電容量と電圧降下の関係を示す図である。一般に、デジタルカメラの半導体素子等は、６．０Ｖ以上の電圧があれば動作し、また、ダイオードにおける順方向電圧は、流れる電流によっても変わるので一概には言えないが、仮にカメラが正常に動作するのに必要な電流を流した時に０．６Ｖとする。逆流防止用ダイオードが接続されていない場合には、６．０Ｖ以上で動作するが、逆流防止用ダイオードが接続されている場合には、６．６Ｖ以上ないと動作しない。
【０００６】
この結果、環境温度が０°Ｃの場合においては、逆流防止用ダイオードが接続されているときには、放電容量が１６００ｍＡｈ程度までしか利用することができないのに対して、逆流防止用ダイオードが接続されていないときには、１９５０ｍＡｈ程度まで電池を利用することができる。逆流防止用ダイオードを接続している場合には、この放電容量の差に応じて撮影可能駒数が減少してしまう。
【０００７】
本発明は、このような事情を鑑みてなされたものであり、電源の無駄な消耗を防ぎ、撮影枚数を増加させたバッテリホルダを提供することを目的とする。
【課題を解決するための手段】
【０００８】
上記目的を達成するため第１の発明に係わるバッテリホルダは、複数の電池を装填でき、カメラ本体の電池室に接続して上記電池から電源供給を行う取り外し可能なバッテリホルダにおいて、第１の電池室に電池が装填されたらオフになり、電池が入っていない場合にはオンである第１のスイッチと、第２の電池室に電池が装填されたオフになり、電池が入っていない場合にはオンである第２のスイッチと、上記第１の電池室に装填された電池に逆電流が流れないように整流する第１の整流素子と、上記第２の電池室に装填された電池に逆電流が流れないように整流する第２の整流素子を備え、上記第１のスイッチのオンで第２の整流素子をバイパスし、一方、上記第２のスイッチのオンで上記第１の整流素子をバイパスする。
【０００９】
第２の発明に係わるバッテリホルダは、上記第１の発明において、上記第１及び第２の整流素子は、ダイオードである。
【００１０】
上記目的を達成するため第３の発明に係わるバッテリホルダは、複数の電池を装填でき、カメラ本体の電池室に接続して上記電池から電源供給を行う取り外し可能なバッテリホルダにおいて、第１の電池室における電池の装填状態に応じて変化する第１のスイッチと、第２の電池室における電池の装填状態に応じて変化する第２のスイッチと、上記第１の電池室に装填された電池に接続され逆電流防止用の第１の整流素子と、上記第２の電池室に装填された電池に接続され逆電流防止用の第２の整流素子を備え、上記第１の電池室に上記電池が装填されていない場合に上記第１のスイッチにより上記第２の整流素子をバイパスし、一方、上記第２の電池室の上記電池が装填されていない場合に上記第２のスイッチにより上記第１の整流素子をバイパスする。
【００１１】
第４の発明に係わるバッテリホルダは、上記第３の発明において、上記第１のスイッチおよび上記第２のスイッチは、ノーマリオンタイプのスイッチであり、上記第１の電池室に装填された電池または上記第２の電池室に装填された電池によって、上記第１のスイッチおよび上記第２のスイッチはオフされる。
また、第５の発明に係わるバッテリホルダは、上記第３の発明において、上記第１および第２の整流素子はダイオードで構成されている。
【００１２】
上記目的を達成するため第８の発明に係わるバッテリホルダの電源供給方法は、第１及び第２の電池を並列接続で装填でき、カメラ本体の電池室に逆流防止用のダイオードを介して接続し、上記電池から電源供給を行う取り外し可能なバッテリホルダにおける電源供給方法であって、上記第１および第２の電池のうち一方が装填されたことを検出した場合には、少なくとも装填された電池に接続された上記逆流防止用のダイオードをバイパスさせ、上記第１及び第２の電池の両方が装填されたことを検出した場合には、上記逆流防止用のダイオードを動作させる。
【発明の効果】
【００１３】
本発明によれば、電源の無駄な消耗を防ぎ、撮影枚数を増加させたバッテリホルダを提供することができる。
【発明を実施するための最良の形態】
【００１４】
以下、図面に従って本発明を適用したデジタル一眼レフカメラに装填可能なバッテリホルダを用いて好ましい実施形態について説明する。本発明の一実施形態に係わるバッテリホルダは、２個のバッテリが装填可能であり、２個のバッテリは並列接続であることから、１個のバッテリを装填するだけでもデジタルカメラは動作する。
【００１５】
図１は、バッテリホルダ８０、カメラ本体２０およびレンズ鏡筒１０からなるカメラシステムの電気回路を示すブロック図である。レンズ鏡筒１０の内部には、焦点調節および焦点距離調節用の撮影光学系１１と、開口量を調節するための絞り１２が配置されている。撮影光学系１１はレンズ駆動機構１３によって駆動され、絞り１２は絞り駆動機構１４によって駆動されるよう接続されている。
【００１６】
レンズ駆動機構１３、絞り駆動機構１４はそれぞれレンズ制御用マイクロコンピュータ（以下、Ｌμｃｏｍと称す）１５に接続されており、このＬμｃｏｍ１５は通信コネクタ３５を介してカメラ本体２０に接続されている。Ｌμｃｏｍ１５はレンズ鏡筒１０内の制御を行うものであり、レンズ駆動機構１３を制御してピント合わせや、ズーム駆動を行うとともに、絞り駆動機構１４を制御して絞り値制御を行う。
【００１７】
カメラ本体２０のミラーボックス内には、可動反射ミラー４０が設けられており、被写体像を観察光学系に反射するために撮影光学系１１の光軸に対して４５度傾いた位置と、被写体像を撮像用撮像素子５１に導くために跳ね上がった位置との間で回動可能に構成されている。
【００１８】
この可動反射ミラー４０の上方には、被写体像を結像するためのフォーカシングスクリーンや、被写体像を左右反転させるためのポロプリズム等から構成されるファインダ光学系４１が配置されている。このファインダ光学系４１の出射側(図１で右側)には被写体像観察用の接眼レンズ４２が配置されている。
【００１９】
また、ファインダ光学系４１の出射側（図１で上側）には、表示用撮像素子４３と、撮像に邪魔にならない位置に測光センサを含む測光回路４４が配置されている。なお、表示用撮像素子４３としては、ＣＣＤ（Charge Coupled Devices）や、ＣＭＯＳ（Complementary Metal
Oxide Semiconductor）等の二次元撮像素子が使用できることはいうまでもない。
【００２０】
可動反射ミラー４０の中央付近はハーフミラーで構成されており、この可動反射ミラー４０の背面には、ハーフミラー部で透過した被写体光をカメラ本体２０のミラーボックス内の下部に反射するためのサブミラー４７が設けられている。このサブミラー４７は、可動反射ミラー４０に対して回動可能であり、可動反射ミラー４０が跳ね上がっているときには、ハーフミラー部を覆う位置に回動し、可動反射ミラー３が被写体像観察位置にあるときには、図示する如く可動反射ミラー４０に対して開いた位置にある。この可動反射ミラー４０はミラー駆動機構５４によって駆動されている。
【００２１】
また、サブミラー４７の下方にはＡＦセンサユニット４８が配置されており、このＡＦセンサユニット４８は、公知のＴＴＬ瞳分割方式による測距を行うためのＡＦユニットであり、内部にはＡＦセンサが設けられている。ＡＦセンサユニット４８はＡＦセンサ駆動回路５３に接続されており、ＡＦセンサ駆動回路５３は、ＡＦセンサユニット４８の回路系の駆動を行ない、ＡＦセンサから信号を読み出す。この信号出力に基づいて、撮影光学系１１によって結像される被写体像の焦点ズレ量が求められる。
【００２２】
可動反射ミラー４０の後方には、露光時間制御用のフォーカルプレーンタイプのシャッタ５０が配置されており、このシャッタ５０はシャッタチャージ機構５５によってシャッタチャージされる。また、シャッタ５０は、シャッタ制御回路５６に接続されており、シャッタ先幕および後幕の制御がなされる。シャッタ５０の後方には撮影用撮像素子５１が配置されており、撮影光学系１１によって結像される被写体像を電気信号に光電変換する。なお、撮影用撮像素子５１としては、表示用撮像素子４３と同様に、ＣＣＤやＣＭＯＳ等の二次元撮像素子を使用でき、表示用撮像素子４３より画素数が多い素子を使用する。
【００２３】
撮影用撮像素子５１と、表示用撮像素子４３の出力は、インターフェース回路５９に接続され、このインターフェース回路５９によってアナログデジタル変換（ＡＤ変換）等がなされる。インターフェース回路５９は画像処理コントローラ６０に接続されている。この画像処理コントローラ６０はＡＤ変換された画像データに対して、色補正、ガンマ(γ)補正、コントラスト補正、白黒・カラーモード処理、ライブビュー画像処理といった各種の画像処理を行う。また、画像データをＪＰＥＧやＴＩＦＦ等の方式で圧縮し、また伸張を行なう。なお、画像圧縮はＪＰＥＧやＴＩＦＦに限らず、他の圧縮方式も適用できる。
【００２４】
画像処理コントローラ６０には、バッファメモリとしてのＳＤＲＡＭ（Synchronous Dynamic Random Access
Memory）６１、フラッシュＲＯＭ（Flash ROM）６２、記録メディア６３、液晶モニタ２６が接続されている。ＳＤＲＡＭ６１は、画像処理された画像データの一時記憶を行なう。フラッシュＲＯＭ６２は、電気的に書き換え可能な不揮発性メモリであり、画像データに対してユーザーの好みに応じて処理される画像処理に関する種々のパラメーター等が記憶されている。
【００２５】
記録メディア６３は、画像データを記憶するメモリであり、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、通信接点を介してハードディスクを接続可能に構成してもよい。液晶モニタ２６は、カメラ本体２０の背面等に配置され、ライブビュー表示、撮影画像の表示、再生画像の表示および撮影情報の表示を行なう。なお、液晶モニタに限らず、他の表示装置でもよい。
【００２６】
画像処理コントローラ６０は、カメラ本体２０を制御するコントローラであるボディ制御用マイクロコンピュータ（Ｂμｃｏｍ）６５に接続されている。Ｂμｃｏｍ６５は、前述の通信コネクタ３５、測光回路４４、ＡＦセンサ駆動回路５３、ミラー駆動機構５４、シャッタチャージ機構５５、シャッタ制御回路５６に接続されており、これらの回路や機構の制御を行う。通信コネクタ３５は、レンズ鏡筒１０の電気接点と接続可能であり、Ｌμｃｏｍ１５と通信するためのコネクタである。
【００２７】
また、Ｂμｃｏｍ６５は、不揮発性メモリ６７、動作表示用ＬＣＤ６８、カメラ操作スイッチ６９、電源回路７０に接続されている。不揮発性メモリ６７は、ＥＥＰＲＯＭ等の電気的に書き換え可能な不揮発性メモリであり、カメラの調整値等が記憶されている。動作表示用ＬＣＤ６８は、動作状態を表示するためにカメラ本体２０の上面等に配置された小型の液晶表示装置である。
【００２８】
カメラ操作スイッチ６９は、シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、モードダイヤルに連動して撮影モードを指示するスイッチ、選択された各モード等を決定するＯＫスイッチ、表示切換を指示するスイッチ等の種々の操作スイッチからなる。
【００２９】
カメラ本体２０内に装填される電池（不図示）や、後述するバッテリホルダ８０に内蔵された電池セル９１ａ、９１ｂは、電源回路７０に接続されており、この電源回路７０によって所定の電圧に定電圧化されて、各回路ユニット等に給電される。
【００３０】
カメラ本体２０には、バッテリホルダ８０が装填可能であり、また、接点群７５を介して、両者は電気的に接続可能である。このバッテリホルダ８０には、電池パック１  ９０ａと電池パック２  ９０ｂの２つの電池パックが個々に装填可能であり、接点群８２ａ、８２ｂを介して、両者は電気的に並列接続可能となっている。
【００３１】
電池パック１  ９０ａと電池パック２  ９０ｂの内部には、それぞれ電池セル９１ａ、電池セル９１ｂが内蔵され、この電池セルにサーミスタ９２ａ、９２ｂが並行に接続されている。電池パック９０ａ、９０ｂを装填するバッテリホルダ８０には、それぞれ３つの接点からなる接点群８２ａ、８２ｂが設けてあり、電池セル９１ａ、９１ｂのプラス極（＋極）９６とマイナス極（−極）端子９８、およびサーミスタ９２ａ、９２ｂの検知出力端子９７を有している（図３参照）。
【００３２】
電池セル９１ａのプラス極９６は、接点群８２ａを介してダイオード８３のアノード・カソード、および接点群７５を介して電源回路７０に接続されている。このまたダイオード８３のアノード・カソード間にはスイッチ８７が接続されている。電池セル９１ｂのプラス極９６は、接点群８２ｂを介してダイオード８４のアノード・カソード、および接点群７５を介して電源回路７０に接続されている。またダイオード８４のアノード・カソード間にはスイッチ８８が接続されている。ダイオード８３およびダイオード８４は、ショットキバリダイオードまたはＰＮ接合ダイオードで構成される。スイッチ８７およびスイッチ８８の切り換え動作については、図６を用いて後述する。
【００３３】
電池セル９１ａ、９１ｂの各マイナス極端子９８と、サーミスタ９２ａ、９２ｂの一端側は共にグランドレベル側に接続され、接点群７５を介して、カメラ本体２０のグランドレベルに接続されている。また、サーミスタ９２ａとサーミスタ９２ｂの検出出力端子は、接点群７５を介して、カメラ本体２０内のＢμｃｏｍ６５に接続されている。
【００３４】
また、バッテリホルダ８０には、レリーズ釦（不図示）が配置されており、カメラ本体２０に設けられたレリーズ釦と同様の機能を果たし、レリーズ釦の半押しに連動してオンとなる１Ｒスイッチ８５と、レリーズ釦の全押しに連動してオンとなる２Ｒスイッチ８６が設けられている。１Ｒスイッチ８５と２Ｒスイッチ８６の一端側は、接点群７５を介して、カメラ本体２０のＢμｃｏｍ６５に接続され、他端側も、それぞれ接点群７５を介して、Ｂμｃｏｍ６５の別の端子に接続されている。
【００３５】
次に、本実施形態におけるバッテリホルダ８０の構成について、図２を用いて説明する。図２はバッテリホルダ８０の外観斜視図であり、このバッテリホルダ８０は、カメラ本体２０の底部に装着可能となっている。すなわち、接点支柱１００は、カメラ本体２０内の内蔵電池の収納室に挿入可能となっており、また雄ネジで構成された三脚ネジ１０５はカメラ本体２０の底部の雌ネジ（不図示）に螺合可能となっている。
【００３６】
接点支柱１００の水平方向の断面は、カメラ本体２０の内蔵電池室の水平断面形状と相似形でやや小さい大きさとなっている。そして、接点支柱１００の支柱側面の上部側には、接点面１０１、１０２、１０３が設けられており、これらは、接点群７５の内の３つの接続端子、すなわち、電源回路７０と接続するプラス極端子、サーミスタ９２ａと接続する端子、グランドレベルに接続するマイナス極端子に相当する（図１参照）。
【００３７】
この接点支柱１００に設けられた接点面１０１はプラス電極端子（＋）であり、接点面１０２はサーミスタ電極端子（Ｔ）であり、接点面１０３はマイナス電極端子（−）である。これらの接点面は、接点支柱１００の側面より若干、奥まった面で、略同一面上に並べて設けられている。
【００３８】
また、接点支柱１００の上端面には、信号線１１１、１１２、１１３、１１４が配置されている。信号線１１１は１Ｒスイッチ８５とＢμｃｏｍ６５を接続するラインに相当し、信号線１１２は２Ｒスイッチ８６とＢμｃｏｍ６５を接続するラインに相当し、信号線１１３は１Ｒスイッチ８５および２Ｒスイッチ８６をグランドレベルに接続するラインに相当し、信号線１１４はサーミスタ９２ｂをＢμｃｏｍ６５に接続するラインに相当する。
【００３９】
図２に示す三脚ネジ１０５は三脚ネジダイアル１０６と一体に構成されており、三脚ネジダイアル１０６を回転することにより三脚ネジ１０５も回転し、バッテリホルダ８０はカメラ本体２０に対して着脱可能である。また、バッテリホルダ８０の底部側には、電池パック９０を矢印Ａ方向に沿って装填する電池室１１０ａおよび１１０ｂが設けられている。電池パック９０ａ、９０ｂが電池室１１０ａ、１１０ｂに装填され、または電池室から離脱されると、開閉自在なカバー１０７は電池室１１０ａ、１１０ｂの開口部を開閉することが可能である。
【００４０】
電池室１１０ａ内には、挿入検出レバー１１５が配置されており、この挿入検出レバー１１５は、通常状態においては、図４に示すようにバネ付勢によって立ち上がっているが、開口部１２４から電池パック９０ａが挿入されると、挿入検出レバー１１５は押し倒される。前述のスイッチ８８（図１参照）は、ノーマリオンタイプのスイッチであり、また挿入検出レバー１１５に連動している。
【００４１】
すなわち、電池パック９０ａが電池室１１０ａに未装填の状態では、挿入検出レバー１１５は立ち上がっていることから、スイッチ８８はオンであり、このため、電池セル９１ａと接続するダイオード８３は短絡状態（バイパス状態）となっている。次に、電池パック９０ａが電池室１１０ａに装填されると、挿入検出レバー１１５は押し倒され、スイッチ８８はオフとなり、このため、電池セル９１ａと接続するダイオード８３は、ダイオードとして動作する。
【００４２】
同様に、電池室１１０ｂ内には、挿入検出レバー１２１が配置されており、この挿入検出レバー１２１は、通常状態においては、バネ付勢によって立ち上がっているが、開口部１２５から電池パック９０ｂが挿入されると、挿入検出レバー１２１は押し倒される。前述のスイッチ８７（図１参照）も、ノーマリオンタイプのスイッチであり、また挿入検出レバー１２１に連動している。
【００４３】
すなわち、電池パック９０ｂが電池室１１０ｂに未装填の状態では、挿入検出レバー１２１は立ち上がっていることから、スイッチ８７はオンであり、このため、電池セル９１ｂと接続するダイオード８４は短絡状態（バイパス状態）となっている。次に、電池パック９０ｂが電池室１１０ｂに装填されると、挿入検出レバー１２１は押し倒され、スイッチ８７はオフとなり、このため、電池セル９１ｂと接続するダイオード８４は、ダイオードとして動作する。
【００４４】
電池パック９０は、図１における電池パック９０ａと９０ｂと同一構成であり、内部に電池セル９１ａ、９１ｂと、サーミスタ９２ａ、９２ｂを有し、外部は図３に示すようにケース９５によって密閉されている。そして、ケース９５の稜線部にプラス（＋）極端子９６、サーミスタ端子９７およびマイナス（−）極端子９８が設けられている。
【００４５】
このように構成されている本発明の一実施形態に係わるバッテリホルダ８０に電池パック９０ａ、９０ｂを装填した場合の動作について、図６を用いて説明する。まず、電池室１１０ａおよび１１０ｂのいずれにも電池パック９０が装填されていない状態では、挿入検出レバー１１５、１２１は立ち上がっていることから、図６（Ａ）に示すように、スイッチ８８、８７はオン状態である。このため、各ダイオード８３、８４の両端は短絡（バイパス）された状態となっている。
【００４６】
続いて、電池室１１０ａ、１１０ｂの両方に電池パック９０が装填されると、図６（Ｂ）に示すように、各ダイオード８３、８４の両端に接続されたスイッチ８７、８８はオフとなる。このため、各ダイオード８３、８４において電圧降下が発生するが、電池パック９０ａの電源電流はダイオード８３を介してカメラ本体２０の電源回路７０に供給され、電池パック９０ｂの電源電流はダイオード８４を介してカメラ本体２０の電源回路７０に供給される。この際、ダイオード８３、８４によって、電源電流の逆流を防止し、無駄な電源浪費が生じないという効果がある。
【００４７】
次に、電池室１１０ａのみに電池パック９０ａが装填され、電池室１１０ｂに電池パック９０が装填されない場合には、図６（Ｃ）に示すように、ダイオード８３の両端に接続されたスイッチ８８がオンとなり、ダイオード８４の両端に接続されたスイッチ８７はオフとなる。この結果、電池パック９０ａからの電源電流はスイッチ８８を介して電源回路７０に供給されるために、ダイオード８３において、電圧降下は生じない。
【００４８】
逆に、電池室１１０ｂのみに電池パック９０ａが装填され、電池室１１０ａに電池パック９０が装填されない場合には、ダイオード８４の両端に接続されたスイッチ８７がオンとなり、ダイオード８３の両端に接続されたスイッチ８８がオフとなる。この結果、電池パック９０ｂからの電源電流は、スイッチ８７を介して電源回路７０に供給されるために、ダイオード８４において、電圧降下は生じない。
【００４９】
このように本実施形態においては、電池室１１０ａ、１１０ｂの両方に電池パック９０が装填された場合には、ダイオード８３、８４を介挿し、逆流電流が流れることを防止し、一方、電池室１１０ａまたは１１０ｂのいずれか一方に電池パック９０が装填された場合には、電池パック９０と接続しているダイオード８３または８４の両端を短絡させて、ダイオードにおける電圧降下が生じないようにしている。
【００５０】
次に、本実施形態におけるスイッチ８７、８８の変形例について、図５を用いて説明する。本実施形態におけるスイッチ８７、８８は、図４に示す如く挿入検出レバー１１５、１２１に連動するノーマリオンタイプのスイッチであったが、図５に示す変形例では、電池室１１０ａ、１１０ｂの奥にノーマリオンタイプのスイッチ１２２、１２３をそれぞれ配置している。したがって、本実施形態におけるスイッチ８７をスイッチ１２２に置き換え、スイッチ８８をスイッチ１２３に置き換える以外は、本実施形態の構成および動作は同様であることから詳細な説明は省略する。
【００５１】
この本実施形態における変形例では、電池室１１０ａ、１１０ｂに電池パック９０が装填されると、スイッチ８７、８８と同様に、スイッチ１２２、１２３はオンからオフに切り換り、これらのスイッチと並列に接続されたダイオード８３、８４はダイオードとして動作するようになる。このため、いずれか一方の電池室１１０ａ、１１０ｂに電池パック９０が装填された場合には、ダイオード８３、８４はバイパス（短絡）状態となり、両方の電池室１１０ａ、１１０ｂに電池パック９０が装填された場合には、ダイオード８３、８４はダイオードとして動作し、逆流電流を防止する。
【００５２】
以上、説明したように、本実施形態におけるバッテリホルダは、逆流防止用のダイオード８３、８４をバイパスするためのスイッチ８７、８８を設け、このスイッチ８７、８８は、電池室１１０ａ、１１０ｂに電池が装填された否かに応じてスイッチ状態が変わるようにしている。このため、電池が１つしか装填されず、逆流防止用のダイオード８３、８４が不要な場合には、逆流防止用ダイオードをバイパスすることができ、ダイオード８３、８４において発生する電圧降下を最小限にすることができる。
【００５３】
なお、本実施形態に係わるバッテリホルダ８０は電池パック９０が２個、装填可能であるが、３個以上でも構わない。この場合、電池パック９０が１個しか装填されていない場合には、逆流防止用のダイオードをバイパスさせ、電池パック９０が２個以上装填された場合には、逆流防止用のダイオードを動作させるようにバイパスを解除させるようにすればよい。また、ダイオード８３、８４の両端を直接、スイッチ８７、８８で短絡するように接続したが、これに限らず、実質的にダイオード８３、８４をバイパスするように接続してあれば構わない。
【００５４】
また、逆流防止用にＰＮ接合またはショットキバリアタイプのダイオード８３、８４を設けたが、これに限らず、逆流防止機能を有する整流素子であればよく、例えば、トランジスタ、ＦＥＴ等を利用してもよい。
【００５５】
さらに、本実施形態においては、図４および図５に示されるように、挿入検出レバー１１５、１２１や、プッシュスイッチ１２２、１２３等の機械的機構によって、電池パック９０の装填を検知し、これに連動するスイッチを設けていたが、これに限らず、電気的に連動するスイッチでも良く、さらに光電スイッチ等の電気的スイッチによって検出するようにしてもよい。
【００５６】
本発明の実施形態の説明にあたっては、カメラとしては、デジタル一眼レフカメラに適用した例を挙げたが、デジタルカメラとしては一眼レフタイプやコンパクトタイプのデジタルカメラ等のいずれでも良く、またこれらのデジタルカメラ以外にも、フィルムカメラ、ビデオカメラ等の携帯電子機器でもよく、また専用機に組み込まれるような撮像装置であってもよい。いずれにしても、カメラ等の撮影装置と組み合わせて使用するバッテリホルダや、バッテリホルダと組み合わせて使用しうるカメラ等の撮影装置であれば本発明を適用できる。
【図面の簡単な説明】
【００５７】
【図１】本発明の一実施形態に係わるカメラとバッテリホルダの電気系を主とするブロック図である。
【図２】本発明の一実施形態に係わるバッテリホルダの外観斜視図である。
【図３】本発明の一実施形態に係わる電池パックの外観斜視図である。
【図４】本発明の一実施形態に係わるバッテリホルダの下側の電池室を示す外観斜視図である。
【図５】本発明の一実施形態におけるバッテリパックの下側の電池室の変形例を示す外観斜視図である。
【図６】本発明の一実施形態に係わるバッテリパックにおいて、電池パックの装填状態とスイッチの状態を示すブロック図であり、（Ａ）は電池パックが未装填の場合、（Ｂ）は電池パックが２個装填された場合、（Ｃ）は電池パックが１個装填された場合を示すブロック図である。
【図７】本発明の一実施形態で使用可能な電池の電圧と放電容量の関係を示す図である。
【符号の説明】
【００５８】
１０・・・レンズ鏡筒、１１・・・撮影光学系、１２・・・絞り、１３・・・レンズ駆動機構、１４・・・絞り駆動機構、１５・・・レンズ制御用マイクロコンピュータ（Ｌμｃｏｍ）、２０・・・カメラ本体、２６・・・液晶モニタ、３５・・・通信コネクタ、４０・・・可動反射ミラー、４１・・・ファインダ光学系、４２・・・接眼レンズ、４３・・・表示用撮像素子、４４・・・測光回路、４７・・・サブミラー、４８・・・ＡＦセンサユニット、５０・・・シャッタ、５１・・・撮像用撮像素子、５３・・・ＡＦセンサ駆動回路、５４・・・ミラー駆動機構、５５・・・シャッタチャージ機構、５６・・・シャッタ制御回路、５９・・・インターフェース回路、６０・・・画像処理コントローラ、６１・・・ＳＤＲＡＭ、６２・・・フラッシュＲＯＭ、６３・・・記録メディア、６５・・・ボディ制御用マイクロコンピュータ（Ｂμｃｏｍ）、６７・・・不揮発性メモリ、６８・・・動作表示用ＬＣＤ、６９・・・カメラ操作スイッチ、７０・・・電源回路、７５・・・接点群、８０・・・バッテリホルダ、８２ａ・・・接点群、８２ｂ・・・接点群、８３・・・ダイオード、８４・・・ダイオード、８５・・・１Ｒスイッチ、８６・・・２Ｒスイッチ、
８７・・・スイッチ、８８・・・スイッチ、９０ａ・・・電池パック１、９０ｂ・・・電池パック２、９１ａ・・・電池セル、９１ｂ・・・電池セル、９２ａ・・・サーミスタ、９２ｂ・・・サーミスタ、９６・・・プラス極端子、９７・・・サーミスタ端子、９８・・・マイナス極端子、１００・・・接点支柱、１０１・・・接点面、１０２・・・接点面、１０３・・・接点面、１０５・・・三脚ネジ、１０６・・・三脚ネジダイアル、１０７・・・カバー、１１０ａ・・・電池室、１１０ｂ・・・電池室、１１１・・・信号線、１１２・・・信号線、１１３・・・信号線、１１４・・・信号線、１１５・・・挿入検出レバー、１２１・・・挿入検出レバー、１２２・・・スイッチ、１２３・・・スイッチ、１２４・・・開口部、１２５・・・開口部
【図２】
2009042614.tif 000003
【図３】
2009042614.tif 000004
【図４】
2009042614.tif 000005
【図５】
2009042614.tif 000006
【図６】
2009042614.tif 000007
【図７】
2009042614.tif 000008
【図１】
2009042614.tif 000009